(57)【要約】ポリマーマトリックスと吸収剤粒子を含んで成り、吸収剤粒子の少なくとも一部がマイクロコロイド粒子である接着剤組成物。マイクロコロイド粒子は、好ましくは実質的に丸い又は球形の形状を有する吸水性粒子である。接着剤にマイクロコロイドを加えることは、技術水準の技術と比較して改善された水分取扱特性を与えるとともに、従来のハイドロコロイドの添加による場合よりも接着剤マトリックスのレオロジー特性が受ける影響が少なくなり得る。
2004527600.tif 000002
【特許請求の範囲】
【請求項１】
ポリマーマトリックスと吸収剤粒子を含んで成り、吸収剤粒子の少なくとも一部が実質的に丸い又は球形の形状を有するマイクロコロイド粒子である接着剤組成物。
【請求項２】
マイクロコロイド粒子が２０ミクロンよりも小さな粒径を有することを特徴とする、請求項１に記載の組成物。
【請求項３】
マイクロコロイド粒子が１０ミクロンよりも小さな粒径を有することを特徴とする、請求項１または請求項２に記載の組成物。
【請求項４】
マイクロコロイド粒子が６ミクロンよりも小さな粒径を有することを特徴とする、請求項１〜３のいずれか一項に記載の組成物。
【請求項５】
マイクロコロイド粒子が安定化された形態にあることを特徴とする、請求項１〜４のいずれか一項に記載の組成物。
【請求項６】
５〜１００％ｗ／ｗの吸収剤粒子がマイクロコロイド粒子であることを特徴とする、請求項１〜５のいずれか一項に記載の組成物。
【請求項７】
発泡体の形態にあることを特徴とする、請求項１〜６のいずれか一項に記載の組成物。
【請求項８】
ポリマーマトリックスと吸収剤粒子から実質的に成り、吸収剤粒子の少なくとも一部が２０ミクロンよりも小さな粒径を有するマイクロコロイド粒子である接着剤組成物。
【請求項９】
ポリマーマトリックスと吸収剤粒子を含んで成り、吸収剤粒子の少なくとも一部がマイクロコロイド粒子であり、該マイクロコロイド粒子が安定化された形態にある接着剤組成物。
【請求項１０】
マイクロコロイドが界面活性剤によって安定化されていることを特徴とする、請求項９に記載の組成物。
【請求項１１】
医療用接着剤であることを特徴とする、請求項１〜１０のいずれか一項に記載の組成物。
【請求項１２】
ポリマーマトリックスと吸収剤粒子を含み、吸収剤粒子の少なくとも一部が実質的に丸い又は球形の形状を有するマイクロコロイド粒子である接着剤組成物を含んで成る医療用具。
【請求項１３】
１種以上の薬学的もしくは生物学的活性成分を含むことを特徴とする、請求項１２に記載の医療用具。
【請求項１４】
マイクロコロイド粒子をポリマーマトリックスの一つ以上の成分に分散させ、これを次にポリマーマトリックスの残りの成分と組み合わせる、ポリマーマトリックスとマイクロコロイド粒子を含んで成る接着剤組成物の調製方法。
【請求項１５】
マイクロコロイド粒子がペーストまたは分散液の形態で組み込まれることを特徴とする、請求項１４に記載の方法。
【請求項１６】
マイクロコロイド粒子が凝集塊の形態で組み込まれることを特徴とする、請求項１４に記載の方法。
【請求項１７】
マイクロコロイドが安定化された形態で組み込まれることを特徴とする、請求項１４〜１６のいずれか一項に記載の方法。
【請求項１８】
組成物に膨張性部分を機械的に導入することにより組成物が発泡処理される、請求項１４〜１７のいずれか一項に記載の方法。
【請求項１９】
化学発泡剤を導入することにより組成物が発泡処理される、請求項１４〜１７のいずれか一項に記載の方法。
【発明の詳細な説明】
【技術分野】
【０００１】
本発明は接着剤組成物、その調製方法およびそのような接着剤組成物を含む医療用具に関する。
【背景技術】
【０００２】
創傷被覆材(wound dressings）やストーマ用具(ostomy appliances）のような医療用具においては、その用具が水分吸収性および蒸気透過性であることが望ましい場合が多い。これらの用具は、多くの場合、支持層(backing layer）にコートされた水分吸収性接着剤を含んで成る。構造体の水分吸収性および水分輸送特性を最適化すべく多大な努力がなされてきた。
【０００３】
マトリックス（母材）内の接着剤のような吸収剤としてハイドロコロイドを使用することが医療用具においてよく知られている。ハイドロコロイドは水性液の吸収に用いられるときに優れた特性を有する。ハイドロコロイドは、例えば衛生用ナプキンのような吸収性物品の中や創傷被覆材の中やストーマ用具の中に組み込まれる。米国特許第３，３３９，５４６号に、ポリイソブチレンおよびハイドロコロイドの接着組成物が開示されている。同様に、ブロックコポリマーに基づく接着剤組成物が米国特許第４，３６７，７３２号に開示されている。これら接着剤は皮膚または粘膜に使用することが意図されている。
【０００４】
接着剤に組み込まれるときに、粒子の形態のハイドロコロイドが好ましい。従来から、ハイドロコロイドは水溶性もしくは膨潤性材料のいずれの種類でもよい。カルボキシメチルセルロース（ＣＭＣ）、ペクチンおよび寒天ガムのような天然ポリマー又はそれらの誘導体、ならびにポリアクリル酸およびポリビニルピロリドン（ＰＶＰ）のような合成ポリマーの両方を使用し得る。
【０００５】
ハイドロコロイドの物理的形態は、典型的には約６０〜１００μｍの、比較的粗い不規則な粒子である。したがって、従来のハイドロコロイドは粉砕(milling）のような従来の方法によって製造することがかなり容易であり、その粗い粒径が粉塵（dust）形成を少なくすることによって製造における安全な取扱いを支える。
【０００６】
ハイドロコロイド粒子が組み込まれた接着剤は当該技術分野でよく知られており、例えば、国際特許出願第ＷＯ９１／０９６３３号は感圧接着剤マトリックス中に分散された膨潤ハイドロコロイドを含んで成る接着剤複合材を開示している。この膨潤ハイドロコロイドは異なる形状の不規則な粒子の形態である。ハイドロコロイドが膨潤されると、接着剤複合材の吸収能力は制限されることになる。
【０００７】
通常、ハイドロコロイド粒子は、接着剤マトリックス中に組み込まれるときに乾燥した非膨潤状態にある。
【０００８】
ハイドロコロイド粒子が接着剤に組み込まれるときに、その結果生じる接着剤の特性が変化する。典型的には、ハイドロコロイドの加入に伴い接着剤の硬さが増大することになる。皮膚の動きに追従できる柔軟（フレキシブル）で皮膚に優しい接着剤を有するのが好ましいので、このことは医療用具においては多くの場合に望ましくない。さらに、ハイドロコロイド含有接着剤を扱うときに接着剤の加工処理がより困難になるのは不利である。接着剤の増大した硬さに起因して接着剤マトリックスの粘着性が減少するため、ハイドロコロイドの加入に先立って組成物の接着性を増大させることにより粘着性を増大させる必要があり得るが、医療用具を取り外すときに皮膚を損傷する危険を高める。
【０００９】
ハイドロコロイド含有接着剤を創傷被覆材やストーマ用具のような医療用具で使用するときに、ハイドロコロイドは皮膚または創傷から医療用具の上部までを通じての水分輸送手段としても機能することになる。医療用具の水分輸送特性を最適化するために、非常に透過性のある支持層が通常使用される。しかしながら、水分輸送における制限要因は、多くの場合にフィルムと接着剤のハイドロコロイド粒子との間の界面に関連する。水分輸送特性をもった接着剤を実現するためには、少なくとも２５％ｗ／ｗの量のハイドロコロイドが必要である。
【００１０】
ヨーロッパ特許出願第５２８  １９１号には、ハイドロコロイドを含んで成る接着剤組成物が開示されている。ハイドロコロイドの粒径は１〜１０００ミクロンの間であるが、好ましくは５０ミクロン以下の平均である。この粒径はハイドロコロイドを微粉砕（pulverising）し、得られたパウダーを次に篩にかけて５０ミクロン以下の平均粒径を得ることによって得られる。粉砕または微粉砕によって得られる粒子は不規則で鋭いエッジを有することになり、さらに粉塵問題に起因して非常に微細な粒子の取扱いが困難となり得る。
【００１１】
ＤＥ特許出願第４４  ３４  １７１号は、吸収剤粒子が組み込まれた吸収性接着剤を開示している。その粒径は１０ないし１０００ミクロンの間であるか、又は少なくとも接着剤層の厚さより小さい。
【００１２】
ハイドロコロイド粒子の粒径は接着剤コーティングの厚さに対する制限要因となり得る。該コーティングの厚さはその粒径の２〜３倍よりも小さくなることはできないからである。製品の通気性だけでなく、より柔軟性のある製品を実現するために、非常に薄いコーティングが望まれる場合がある。
【発明の開示】
【発明が解決しようとする課題】
【００１３】
したがって、水分を吸収および輸送することができ、良好な粘着性を有し、分離および加工処理が容易である、皮膚に優しい接着剤組成物に対する必要性が存在する。
【００１４】
驚くべきことに、接着剤組成物の吸収剤粒子の少なくとも一部をマイクロコロイド粒子で置き換えることによって接着剤の改善された特性が実現されることが見出された。
【課題を解決するための手段】
【００１５】
本発明はポリマーマトリックスと吸収剤粒子を含んで成る接着剤組成物に関する。
【００１６】
本発明はさらにポリマーマトリックスと吸収剤粒子を含む接着剤組成物を含んで成る医療用具に関する。
【００１７】
本発明はまたポリマーマトリックスと吸収剤粒子を含んで成る接着剤組成物の調製方法に関する。
【発明を実施するための最良の形態】
【００１８】
本発明は、ポリマーマトリックスと吸収剤粒子を含んで成り、吸収剤粒子の少なくとも一部が実質的に丸い又は球形の形状を有するマイクロコロイド粒子である接着剤組成物に関する。
【００１９】
本発明の接着剤組成物において、吸収剤粒子の少なくとも一部が微細状態、例えば２０μｍよりも小さな粒径の微粉化（micronised）粒子として存在し、以下マイクロコロイドと称する。驚くべきことに、接着剤中にマイクロコロイドを埋め込むことによって、接着剤組成物がハイドロコロイド接着剤と比較して減少した硬さ及び増大した水分輸送特性を達成することが見出された。さらに、本発明の組成物は、従来の組成物よりも製造方法の変動に対して頑強であり、例えばホットメルトにおいて減少した粘度に導く。
【００２０】
マイクロコロイド粒子は２０ミクロンよりも小さな粒径を有し得る。
【００２１】
マイクロコロイド粒子は、好ましくは、１０ミクロンよりも小さな粒径を有し得る。
【００２２】
マイクロコロイド粒子は、より好ましくは、６ミクロンよりも小さな粒径を有し得る。
【００２３】
マイクロコロイド粒子は、最も好ましくは、２ミクロンよりも小さな粒径を有し得る。
【００２４】
本発明の一実施態様において、マイクロコロイド粒子は１．５ミクロンよりも小さな粒径、より好ましくは１ミクロンよりも小さな粒径を有する。
【００２５】
本発明は更に、ポリマーマトリックスと吸収剤粒子から実質的に成り、吸収剤粒子の少なくとも一部が２０ミクロンよりも小さな粒径を有するマイクロコロイド粒子である接着剤組成物に関する。
【００２６】
調製方法に依存して、マイクロコロイド粒子の粒径は、通常、正規分布曲線に従うことになり、これは粒子の大部分が基本的に同じ粒径を有するが、粒子の少数部分はより小さいか又は大きいことを意味する。
【００２７】
本発明による接着剤組成物において、好ましくは５〜１００％ｗ／ｗ、より好ましくは１０〜１００％ｗ／ｗ、より一層好ましくは２５〜１００％ｗ／ｗ、そして最も好ましくは５０〜１００％ｗ／ｗの吸収剤粒子がマイクロコロイド粒子である。
【００２８】
好ましくは７５％以上、より好ましくは９０％以上、そして最も好ましくは９５％以上のマイクロコロイド粒子が、２０μｍよりも小さな粒径、より好ましくは１０μｍよりも小さな粒径、より一層好ましくは６μｍよりも小さな粒径、そして最も好ましくは２μｍよりも小さな粒径を有する。
【００２９】
本発明に係る組成物の吸収剤粒子の大部分の割合がマイクロコロイド粒子であってよい。本発明の一実施態様において、吸収剤粒子の１００％がマイクロコロイド粒子である。
【００３０】
接着剤への組込みのための吸収剤粒子は、多くの場合、ハイドロコロイド粒子である。
【００３１】
今日使用されるハイドロコロイドの物理的形態は、典型的には約６０〜１００μｍの乾燥パウダー形態の、比較的粗い不規則な粒子である。粉砕(milling）のような従来の技法によって製造することがかなり容易であり、その比較的粗い粒径により、深刻な粉塵問題を伴うことなく生産規模でそれらの粒子を取り扱うことが可能である。
【００３２】
かなりの量の微粒子を含むハイドロコロイド粒子を取り扱うときに、パウダー状配合物は、多くの場合に粉塵問題を引き起こすだけでなく、従来の方法によりそのような粒径の粒子を製造することは粉塵および取扱上の問題のために困難であり爆発し易い。さらに、２０ミクロンよりも小さな粒径の粒子は肺に吸入され得るため、健康の危険を生じ得る。したがって、そのようなパウダーは業務上利用可能でない。本発明による組成物のマイクロコロイド粒子は、例えば粉砕によっても調製し得るが、好ましくはエマルジョン法により調製されて、キャリア液の中でペーストまたは懸濁液の形態で送達されるか、あるいは微粉化粒子が顆粒または潜在的に易流動性（free-flowing）パウダーの形態に凝集され得る。
【００３３】
マイクロコロイド粒子は、好ましくは、実質的に丸い又は球形の形状を有し得る。そのような粒子の特別の利点は、それらが多くの場合に密に充填されて高いバルク密度を与えるだけでなく、その丸い形状が接着剤の粘度および加工性に影響を及ぼし得ることである。
【００３４】
マイクロコロイド粒子は、均一な基本的に単分散の粒径分布を有し得る。
【００３５】
本発明は更に、ポリマーマトリックスと吸収剤粒子を含んで成り、吸収剤粒子の少なくとも一部がマイクロコロイド粒子の形態であり、該マイクロコロイド粒子が安定化された形態にある接着剤組成物に関する。
【００３６】
好ましくは、該マイクロコロイドは低分子量の界面活性剤によって安定化されている。
【００３７】
ポリマーマトリックスは連続相であってよく、該ポリマーマトリックスは好ましくは疎水性である。
【００３８】
本発明の一実施態様において、ポリマーマトリックスは親水性であり得る。
【００３９】
ポリマーマトリックスは、好ましくは皮膚に優しい接着剤であり、任意的に医療用接着剤であってよい。
【００４０】
本発明はまた、ポリマーマトリックスと吸収剤粒子を含み、吸収剤粒子の少なくとも一部が実質的に丸い又は球形の形状を有するマイクロコロイド粒子である接着剤組成物を含んで成る医療用具に関する。
【００４１】
本発明の組成物におけるマイクロコロイド粒子の上記の小さな粒径および／または丸い形状は本発明のレオロジー特性に影響を及ぼし得る。従来の粒径のハイドロコロイドを用いる場合よりも粘度および加工温度が低下することになり、このことはより薄いコーティング、例えば５０μｍよりも薄い厚さの接着剤を調製することが可能とし、そして厚い接着剤のエッジの面取りを可能とするとともに、接着剤それ自体が成形容易となり得る。接着剤の柔らか（ソフト）な性質に起因して、接着剤の粘着力も向上し得る。
【００４２】
その小さな粒径および好ましくは丸い形状に起因して、マイクロコロイド及びそれに基づく接着剤は狭小なノズル、ダイおよびバルブを通過することができる。このことは、マイクロコロイド及びマイクロコロイドに基づく接着剤を、ノズル、ダイおよびバルブを閉塞させるか又は少なくとも接着剤の粘度を通常の加工温度を超えるレベルまで増大させるハイドロコロイド及びハイドロコロイドに基づく接着剤から区別させる。狭小なノズル、ダイおよびバルブに起こり得る閉塞と組み合わさって、粘度の増大は、スロットダイ、スプレー、スワール、コントロールド・コートもしくはメルトブローイング・ダイおよびノードソン(Nordson）またはラバテック（Rubatech）等の企業により供給されるような装置を用いたコーティングにより非常に薄い層として接着剤を適用するための装置において、標準的ハイドロコロイドに基づく接着剤を使用することを困難もしくは不可能とする。
【００４３】
マイクロコロイドに基づく接着剤は、種々異なる基体に、非常に薄い開放網（open network）として適用することができ、この網は基体上でランダムな開放網を形成する相互に重なり合った非常に細い接着剤ストリング（糸）から成る。この技術を用いて、基体を非常に開放した網構造の接着剤でコートし、非常に低いものの依然として十分な接着剤コーティング重量を達成することが可能である。
【００４４】
接着剤の薄い開放網は、接着剤の粒子または片として接着剤を基体表面上にスプレーしそれにより基体表面上に接着剤の開放層を生じさせることによって製造できる。接着剤はダイの小さな孔を通して押し出される細いストリングで適用することもできる。接着剤ストリングは、接着剤の両方の平行ライン、ノードソンからのコントロールド・コートダイによって生じるもののような開放ランダムコーティングを形成する振動ストリングとして、および基体上で接着剤の開放網を生じる重なり合ったサークル（円）として適用することができる。
【００４５】
マイクロコロイドに基づく接着剤は、非常に細い片の接着剤繊維のランダムな網として適用することもでき、そのようなパターンは接着剤ストリングを旋回させるため標準的ダイ上で気流を強くすることにより、増大した気流が接着剤ストリングを引き裂き、それを短くて細い重なり合った接着剤繊維として基体上にディスペンスして、接着剤のランダムな開放網構造を生じさせることによって作製することができる。
【００４６】
ハイドロコロイドに基づく接着剤は、上述の方法により適用することができないか、又は少なくともマイクロコロイドに基づく接着剤の程度に薄いコーティングとしては適用できない。これらの方法において使用されるノズル、ダイおよびバルブは非常に小さな孔を有し、これが大きなハイドロコロイド粒子により、又はハイドロコロイドを組み込むことによって生じる粘度の著しい増大により閉塞されることになる。
【００４７】
大きな孔をもったダイおよびノズルを構築し使用することも勿論可能であるが、このことは遥かに太い接着剤ストリングを生じさせることになり、非常に小さなコーティング重量を得ることを再び困難にする。さらに、太いストリングは直に皮膚に接触するときに心地良く感じないとともに目にも不快である。
【００４８】
マイクロコロイドに基づく接着剤の非常に薄いコーティングは、スロットダイの使用によるコーティングで得ることもできる。通常、標準的サイズのハイドロコロイドを含有する接着剤の厚さは、これらの粒子の粒径によって制限される。接着剤層はハイドロコロイド粒子の最大のものと同程度に薄くできるだけであり、さらにコーティングの滑らかな表面が実現されるべきであれば、それさえも可能でない。
【００４９】
マイクロコロイドに基づく接着剤を用いれば、ハイドロコロイドの粒径よりも遥かに薄いコーティングを実現し得る。さらに、マイクロコロイドに基づく接着剤の非常に薄い層を発泡体（フォーム）、例えばポリウレタンフォームのような多孔性基体上にスロットダイによりコートする場合には、気孔の上で破裂する薄い接着剤フィルムに起因して多孔性接着剤フィルムが実現されることが示された。
【００５０】
このことはスロットダイにより多孔性基体上に多孔性接着剤コーティングを生じる可能性を開く。スロットダイは接着剤層の厚さ並びに基体上に付着される接着剤の量の上で非常に良好な制御を提供するので、スロットダイからの多孔性コーティングは様々な新たな可能性を開く。
【００５１】
多孔性基体上の接着剤コーティングの多孔性の特徴は、創傷滲出液のような流体がその層を迅速に通過することを可能とする。このため、接着剤層は創傷接触層として機能し得る。
【００５２】
マイクロコロイドに基づく接着剤は、一層高い透過性を達成するため又は使用される接着剤の量を減少させるために開放網としてコートされ得る、高度に吸収性および透過性のある接着剤を製造することを可能とする。
【００５３】
本発明による接着剤の改善されたレオロジー特性は、射出成形または真空成形のような方法により接着剤を加工処理することを容易に可能とし得る。
【００５４】
本発明の一実施態様において、組成物は発泡体（フォーム）の形態であってよい。
【００５５】
マイクロコロイド接着剤の改善されたレオロジーおよび凝集特性は、安定で、なおかつ水分吸収性および透過性の多孔性接着剤または発泡接着剤を製造する機会をつくり出す。発泡接着剤は、改善されたコスト、改善された水分取扱特性、柔軟な及び／又は起伏のある基体に対する改善された接着力ならびに潜在的に改善された皮膚適合性を提供し得るので、特に興味深いものである。
【００５６】
発泡接着剤は、気孔率、安定性、連続気泡／独立気泡もしくは混合気泡構造および気泡サイズ分布によって特徴付けることができる。気孔率がより高くなるほど、できるだけ少ない（minimal base）接着剤消費量で製造される接着剤はより柔らかでより柔軟になる。気孔率は、好ましくは１０ないし８０％であり、より好ましくは４０ないし７０％である。連続気泡は高い水分吸収および透過率を生じさせることになる。独立気泡は良好な物理的安定性を与えることになる。小さなサイズの気泡をもった発泡接着剤が好ましい場合がある。
【００５７】
発泡接着剤は、適当な膨張性部分（expanding moiety）、例えば圧縮された空気、窒素、二酸化炭素、アルゴンまたは他のガスあるいは低沸点液体を機械的に導入して分散させることによって生成し得る。適当な装置としては、ノードソン・コーポレーションより利用可能な「フォームメルト（FoamMelt）（登録商標）」および「フォームミックス(FoamMix）（登録商標）」マシンが含まれる。
【００５８】
発泡接着剤は、別法として、様々な機構により気泡を発生し得る適当な化学発泡剤とともに接着剤を混合することによっても生成し得る。これらの機構としては、限定されないが、化学反応、熱分解もしくは化学分解、低沸点物質の揮発、ガス充填物質の膨張、またはこれらの方法の組合せによるものが含まれる。
【００５９】
化学発泡剤という用語は、単一もしくは複数成分の化合物を混合物もしくはペーストで使用することを含むものとして本願において用いられる。適当な化学発泡剤としては、炭酸アンモニウム、重炭酸アンモニウム、炭酸ナトリウム、重炭酸ナトリウム、炭酸カルシウムのようなアルカリ金属の炭酸塩が含まれる。アルカリ金属の炭酸塩と種々の有機酸との混合物を調製することによって、改善されたガス発生が得られる場合がある。他の適当な発泡剤としては、アクゾ・ノーベル（Akzo Nobel）から利用可能な「エクスパンセル（Expancel）（登録商標）」のような膨張性球体が含まれる。
【００６０】
発泡接着剤は、リバースロールコーティング、スロットダイコーティングならびに射出成形および真空成形のような異なる成形方法を含む広範な数の可能な方法により、コートし又は形作ることが可能である。発泡接着剤は、例えば切断または面取りによって更に形作ることが可能であり、それを他の材料の上にラミネート処理することも可能である。発泡接着剤は、薄い層としてコートすることが可能であるとともに、三次元構造に成形することも可能である。
【００６１】
本発明による医療用具は、典型的には、支持層、接着剤層を含み、そして使用前に取り除かれる１以上の剥離ライナーまたはカバーフィルムにより部分的に又は全面的に被覆されてよいラミネートの形態である。医療用具は、使用前に取り除かれる二次的な支持層を更に含んでよい。
【００６２】
本発明の一実施形態において、ポリマーマトリックスは柔らかい成形可能なペーストである。そのようなペーストは、例えば、ストーマの周りの封止剤として又は創傷用充填剤として有用となり得る。
【００６３】
接着組成物を支持層上に配置してよい。
【００６４】
本発明による医療用具の支持層は、ポリウレタンフィルム、フォームもしくはノンウーブン（不織布）等の任意の層、又は接着剤と組み合わせて本発明による医療用具の所望される特性を示すフィルムもしくは層の組合せであってよい。このフィルムは、例えば、ポリオレフィン系材料、ＰＶＡ、ポリエステル、ポリアミド、シリコーン、テフロン（登録商標）、ポリウレタン材料もしくはポリエチレンまたはそれらのコポリマーもしくは混合物より製造し得る。
【００６５】
該フィルムは生分解性であるか又はある一定条件の下で可溶化され得る。
【００６６】
支持層のための好ましい材料は、フィルムもしくはフォームの形態のポリウレタン、またはそのような形態の組合せ、例えばラミネートの形態であってよい。
【００６７】
医療用具の皮膚接触面は１以上の剥離ライナーによって被覆されてよい。
【００６８】
本発明の医療用具による使用のために特に好適な剥離ライナーは、クラフト紙、ポリエチレン、ポリプロピレン、ポリエステルまたはこれらの材料の何れかの複合材料より作製されてよい。ライナーは、好ましくは、フルオロ化合物またはシリコーンのような剥離剤でコートされる。剥離ライナーは、それが存在する場合には、適用の前、間もしくは後に取り除いてよい。適用の後にのみ取り除かれる場合には、剥離ライナーは適用の間のハンドルとして作用し得る。
【００６９】
接着剤層は連続層またはパターンの形態であってよく、あるいは接着剤は医療用具の皮膚接触面の一部の上に配置されるだけであってもよく、例えば医療用具の中央部の周囲のフランジ部の上に配置されてドレッシング（被覆材）の中央部に非接着性もしくは低接着性の吸収パッドを備えた島型ドレッシングを形成してもよい。
【００７０】
接着剤組成物は吸収パッドの形態であってもよい。
【００７１】
本発明による医療用具は、例えば、創傷ケア用具、コンティネンス用具（失禁自制用具）、胸部ケア用具、ストーマ用具、または皮膚への適用のための任意の接着用具であり得る。
【００７２】
本発明の医療用具は皮膚科用ドレッシングであり得る。
【００７３】
医療用具はストーマ用封止ペーストであり得る。
【００７４】
医療用具はストーマ用具であり得る。
【００７５】
医療用具はスプレーの形態であってもよく、例えば外形領域上の下塗として使用するため又は通気性で快適なスプレー接着剤のためのスプレーの形態であってよい。
【００７６】
本発明は更に、ポリマーマトリックスとマイクロコロイド粒子を含んで成る接着剤組成物の調製方法であって、ポリマーマトリックスの残りの成分と更に組み合わせる前に、マイクロコロイド粒子をポリマーマトリックスの一つの成分に分散させる方法に関する。
【００７７】
マイクロコロイド粒子は、ポリマーマトリックス中にペーストまたは分散液の形態で組み込まれ得る。分散液は任意的にその後に除去し得る。
【００７８】
マイクロコロイド粒子は、接着剤製造プロセスの前または間に分解される凝集塊（agglomerates）または顆粒の形態で組み込まれ得る。
【００７９】
マイクロコロイドは安定化された形態、好ましくは分散体として安定化された形態であり得る。
【００８０】
本発明の一実施態様において、組成物に膨張性部分（expanding moiety）を機械的に導入することにより組成物が発泡処理されてよい。
【００８１】
本発明の別の実施態様において、化学発泡剤を導入することにより組成物が発泡処理されてもよい。
【００８２】
接着剤組成物は、連続処理または従来のバッチ処理でホットメルト混合することにより製造し得る。バッチ混合プロセスにおいては、ポリマーマトリックスのプレミックスを調製してよく、その後に該マトリックスの１以上の成分中に懸濁されたマイクロコロイド粒子がポリマーマトリックス中に分散される。別法として、マイクロコロイド粒子を揮発性溶媒中の分散体の形態で適用してよく、その溶媒は組成物の他の成分と混合する間または混合した後に除去するか又は接着剤適用時にインシトゥ(in situ）で蒸発させてよい。従来のハイドロコロイドは、その後にパウダーの形態で添加し得る。
【００８３】
一軸もしくは二軸押出機における連続混合も別法として使用し得る。
【００８４】
本発明は、水分調節性マイクロコロイドを加えることにより、技術水準の技術と比較して改善された水分透過率（透湿度）を与え、および／または、従来のハイドロコロイドを加えることによる場合よりも接着剤マトリックスのレオロジー特性が受ける影響の少ない接着剤を配合し、製造し、使用する方法を提供する。さらに本発明は、現在の技術よりもコート重量が低い通気性ハイドロコロイド接着剤を製造する手段を提供する。
【００８５】
接着剤マトリックスは、それ自体公知の任意の適当な接着剤、例えば感圧テープ協議会(Pressure Sensitive Tape Council）(Glossary of Terms Used in Pressure Sensitive Tape Industry, PSTC, Glenview, 111. 1959）により「乾燥形態において室温で積極的かつ永続的に粘着性であり、指もしくは手の圧力よりも大きな圧力を必要とせずに単なる接触により種々の異なる表面にしっかりと付着する」接着剤として定義される感圧接着剤を含んでよい。これらの接着剤は「その積極的な粘着性にもかかわらず、指で取り扱うこと及び残留物を残すことなく滑らかな表面から取り除くことができる程に十分に凝集保持性および弾性を有する」。感圧接着剤はその強度および接着力において種々異なるので、組成物中での使用のためのその選択は所望される最終適用に依存することになる。
【００８６】
マイクロコロイド
マイクロコロイドは接着剤用吸水性粒子の新たな群である。マイクロコロイドは、非常に微細な粒径、好ましくは２０μｍよりも小さな、より好ましくは１０μｍよりも小さな、より一層好ましくは６μｍよりも小さな、そして最も好ましくは２μｍよりも小さな粒径を有することにより、ハイドロコロイドから区別される。それらは主に球形の幾何形状を有する。
【００８７】
本発明のマイクロコロイドは、非常に微細な粒径によって引き起こされる粉塵問題のためにパウダーの形態において取り扱うためには適性が低く、そのため多くの場合に配合された形態で使用される。これは、マイクロコロイドが最終接着剤マトリックスの１以上の成分、例えば可塑剤、低分子量ポリマーまたは粘着付与樹脂（tackifying resin）の中に分散された、分散液、ペーストまたは融解性粒子ブロックとしての形態であり得る。あるいはマイクロコロイドは、接着剤の加工処理時に分解される固形もしくは半固形顆粒の形態であってもよい。このマイクロコロイド顆粒は、エラストマー、高融解性粘着付与樹脂または従来の顆粒バインダーのような接着剤成分の１以上を更に含んでよい。あるいはマイクロコロイドは、最終接着剤組成物もしくは医療用具の製造中に除去され得るか又は接着剤の使用時にインシトゥで蒸発し得る揮発性溶媒中の分散体の形態である。
【００８８】
本発明のマイクロコロイドは、超微粒子として配合され得る何れの種類の水溶性または膨潤性材料からも構成され得る。本発明の範囲内の様々なマイクロコロイドとしては、単一もしくは複数種のモノマーより調製された合成ポリマー、天然産生の親水性ポリマーまたは化学的に改質された天然産生の親水性ポリマーが含まれる。親水性ポリマーは線状でも又は架橋されてもよい。これには、ＣＭＣ、キトサン、ペクチン、グアーガム、澱粉またはデキストリン、コラーゲンおよびゼラチン等のセルロース系物質のような天然ぽりまーまたは化学的に改質された天然ポリマー、ポリアクリル酸、ポリビニルアルコール／アセテート、ポリヒドロキシアルキルアクリレートもしくはメタクリレート、ポリアクリルアミド、ポリスチレンスルホネート、ポリビニルピロリドン、ポリグリコール、コポリマー、そのようなもののグラフトのような合成ポリマー、そのようなもののコポリマーまたは組成物が含まれる。
【００８９】
超微粒子は物理的手段、すなわち湿式摩砕(wet milling）、音波処理（sonication）、高剪断（high shear）により得ることもできるが、非常に微細な球形粒子を得るためにマイクロコロイド粒子をエマルジョン法の何らかの手段により製造するのが好ましい。マイクロコロイドを製造するための一つの方法は、ポリマーの水溶液を疎水性液体中で乳化し、次に水を蒸留することである。もう一つの方法は、乳化重合プロセスからの生成物を使用することである。
【００９０】
一般に、マイクロコロイドは、接着剤の加工処理の間に蒸発する揮発性成分が実質的に無いことが望ましい。
【００９１】
マイクロコロイドは、実質的な不安定性を伴うことなく原材料の保存、混合および加工処理を可能とする、安定化された形態で調製されることが望ましい。
【００９２】
本発明の好ましい実施態様において、安定化されたマイクロコロイドは、分散体の形態にあり、低分子量の界面活性剤により安定化されている。
【００９３】
安定化されたマイクロコロイド分散体は、所望のレオロジー特性を確保するためにポリマー立体安定剤（polymeric steric stabilisers）を更に含み得る。
【００９４】
例えば米国特許第４，０５２，３５３号に記載されているように、安定化し、揮発性成分を除去し、ポリマー懸濁液を蒸留により脱水することがよく知られている。例えば米国特許第４，３３９，３７１号に記載されているように、適当なポリマー安定剤の使用により、更なる安定化を達成し得る。
【００９５】
ハイドロコロイド
ハイドロコロイドの物理的形態は、比較的粗い不規則な、典型的には約６０〜１００μｍの直径をもった粒子であり、通常は乾燥パウダーの形態で供給される。したがって、これらのハイドロコロイドは粉砕(milling）のような従来の方法によって製造することがかなり容易であり、その粗い粒径が粉塵形成を少なくすることによって製造における安全な取扱いを支える。
【００９６】
本発明の一実施態様において、接着剤組成物はハイドロコロイド粒子およびマイクロコロイド粒子の両方を含む。このことはマイクロコロイド接着剤の良好な特性の幾つかを達成するため、相乗効果を達成するため、又は単にコストを最適化するために望ましい場合がある。
【００９７】
本発明の接着剤組成物に組み込むために適当なハイドロコロイドは、天然産生ハイドロコロイド、半合成ハイドロコロイドおよび合成ハイドロコロイドより選択される。本発明の範囲内の様々なハイドロコロイドとしては、単一もしくは複数種のモノマーより調製された合成ポリマー、天然産生の親水性ポリマーまたは化学的に改質された天然産生の親水性ポリマーが含まれる。親水性ポリマーは線状でも又は架橋されてもよい。
【００９８】
より詳細には、ハイドロコロイドは、グアーガム、ローカストビーンガム(ＬＢＧ）、ペクチン、アルギネート、ゼラチン、キサンタンおよび／またはガムカラヤ（gum karaya）；セルロース誘導体（例えば、カルボキシメチルセルロース・ナトリウムのようなカルボキシメチルセルロースの塩、メチルセルロース、ヒドロキシプロピルメチルセルロース）および／またはスターチグリコレート・ナトリウムおよび／またはポリビニルアルコールおよび／またはポリエチレングリコール、ポリヒドロキシアルキルアクリレートおよびメタクリレート、ポリアクリルアミド、ポリアクリル酸、ポリスチレンスルホネート、天然の又は合成の改質された多糖類、例えばアルギネート、ペクチン、キサンタンガム、グアーガム、キトサン、カルボキシメチルセルロースおよびヒドロキシエチルもしくはヒドロキシプロピルセルロースが含まれる。
【００９９】
感圧接着剤またはペースト
医療用途において、感圧接着剤は室温においてだけでなく使用者の皮膚温度においても粘着性であることが適当である。また、接着剤は皮膚科的に許容可能であること、すなわち皮膚との連続的な接触の後に取り外した時に接着剤残留物が殆ど又は全くなく、そして接着の間または後に皮膚との深刻な反応がないことが必要である。
【０１００】
組成物の感圧接着剤相の強さは選択される感圧接着剤の種類に依存するが、接着剤は本発明のマイクロコロイド含有組成物を使用者の皮膚に接着させるために十分な接着強さを与えることが必要である。
【０１０１】
感圧接着剤は、ポリオレフィン、ポリアクリレート、シリコーン接着剤、天然もしくは合成由来ゴムに基づく接着剤またはポリビニルエーテルを含有するポリマー接着剤組成物を製造するためのモノマー、ホモポリマー、コポリマー、Ａ−Ｂ−Ａブロックコポリマー、Ａ−Ｂブロックコポリマー、粘着付与剤および可塑剤、またはそれらのブレンドの組合せから調製されたポリマー接着剤組成物を含んでよい。
【０１０２】
好ましくは、組成物において有用な感圧接着剤は疎水性であり、該感圧接着剤の接着力をして使用の間に吸収する水分または皮膚もしくは皮膚開口部に集まる他の体滲出液に抵抗することを可能とする。水または滲出液の存在下にあっても、感圧接着剤がこれらの物質により影響を受けず可塑化されないので、組成物はその強い接着力を保持する。過剰な水分は、高い透湿度を有するマイクロコロイドにより皮膚表面から取り去られる。このことは接着剤の皮膚対向面での水分の貯溜による接着剤の損失のリスクを少なくする。
【０１０３】
好ましい接着剤は、ポリスチレン−ポリブタジエン−ポリスチレン（Ｓ−Ｂ−Ｓ）、ポリスチレン−ポリイソプレン−ポリスチレン（Ｓ−Ｉ−Ｓ）、ポリスチレン−ポリ（エチレン／ブチレン）−ポリスチレン（Ｓ−ＥＢ−Ｓ）およびポリスチレン−ポリ（エチレン／プロピレン）−ポリスチレン（Ｓ−ＥＰ−Ｓ）ポリマーのようなＡ−Ｂ−Ａブロックコポリマー感圧接着剤である。他の有用な接着剤が文献に記載されている。Handbook of Pressure Sensitive Adhesive Technology 2nd Ed., Satas, Editor, (Von Nostrand Reinhold, New York 1989）において、多数の種類の有用な感圧接着剤、すなわち、Ａ−Ｂ−Ａブロックコポリマー接着剤、非晶質ポリαオレフィン、天然ゴム、ポリイソプレン、ブチルゴム、ポリイソブチレン、シリコーン、ポリクロロプレン、アクリル系接着剤およびアクリル系分散液およびポリビニルエーテルが開示されている。これらの感圧接着剤またはそれらのブレンドの何れを使用しても、その中にマイクロコロイドが分散され得るポリマーマトリックスを形成し得る。
【０１０４】
ポリマーマトリックスは、該ポリマーマトリックスの弾性および凝集性を調整するために、粘着付与剤、Ａ−Ｂブロックコポリマー、低分子量ゴム、可塑剤等またはそれらのブレンドを更に含んでよい。
【０１０５】
封止もしくは吸収ペーストのポリマーマトリックスは、成形可能性を可能とする分子量のポリオレフィンの組合せから調製されるポリマー組成物であってよく、その中に本発明によりハイドロコロイドおよびマイクロコロイドが典型的には１０〜６０重量％のレベルで埋め込まれる。代替的な組成物としては、接着剤に関連して記載したＡ−Ｂ−Ａ性のブロックコポリマーに基づくものであってよい。
【０１０６】
吸収剤のポリマーマトリックスは柔らかで膨張可能型の連続相であってよい。好ましいのはゴムまたはエラストマー型であり、最も好ましいのはブロックコポリマーから誘導される型である。
【０１０７】
代替的に、水分が構造の軟化を導き得る組成物も適用可能である。例としては、アクリル系、ポリビニルピロリドン、ポリビニルアルコールもしくはアセテート、ポリエチレングリコール、そのようなものを含んで成るコポリマーまたはブレンドがある。
【０１０８】
任意的成分
本発明の幾つかの態様において、他の固体、例えば非吸収性粒子または顔料を用いて本発明の感圧接着剤を調製することが望ましい場合がある。例えば、従来の方法により達成可能なレベルを上回る透湿度をもった高モジュール感圧接着剤またはペーストを調製するために、マイクロコロイド並びに更に粗い及び／又は不規則な粒子の組合せが有用であり得る。
【０１０９】
種々の生物学的活性物質を本発明のマイクロコロイド組成物中に加入することが望ましい場合もある。マイクロコロイド組成物は、典型的には疎水性ポリマーマトリックスを通じて放出される疎水性物質または典型的にはマイクロコロイド相を通じて放出される親水性成分の両方のテーラーフィットコントロール放出のために使用し得る。
【０１１０】
したがって、本発明の組成物は１種以上の薬学的もしくは生物学的活性成分を含んでよい。
【０１１１】
本発明による接着剤組成物は、創傷治癒関連インジケータ、例えばｐＨ、Ｏ2分圧、温度、ラジカル機構または生命工学アッセイ、例えばコラーゲンの生成を示すアッセイ、のインジケータを含み得る。
【０１１２】
本発明による医療用具は、創傷治癒関連インジケータ、クッションあるいは創傷の生成および／または皮膚の異常の処置または予防のための類似の装置を含むことが有利である。
【０１１３】
これは、創傷もしくは皮膚の医療処置および活性成分の容易かつ無菌の適用の組合せの可能性を開くものであり、例えば、薬剤が創傷に対して効果を奏し得る局所適用に適した形態において活性物質の取込みを生じさせる成長ホルモンもしくはポリペプチド増殖因子等のサイトカインのような活性成分、並びに、静菌もしくは殺菌化合物、例えばヨウ素、ヨードポビドン複合体、クロルアミン、クロロヘキシジン、銀塩、例えばサルファジアジン、硝酸銀、酢酸銀、乳酸銀、硫酸銀、チオ硫酸銀ナトリウムもしくは塩化銀、銀錯体、亜鉛もしくはその塩、メトロニダゾール、サルファ剤、およびペニシリン、組織治癒向上剤、例えばＲＧＤトリペプチド等、タンパク質、タウリンのようなアミノ酸、アスコルビン酸のようなビタミン、Ｄビタミン誘導体、創傷洗浄用酵素、例えばペプシン、トリプシン等、プロティナーゼ阻害剤またはメタロプロティナーゼ阻害剤、例えばロスタット（lllostat）もしくはエチレンジアミン四酢酸、癌組織産物の例えば外科的挿入用に使用するための細胞障害剤および増殖阻害剤および／または局所適用のため使用してよい他の治療剤、抗酸化剤、殺真菌剤、ニコチン、ニトログリセリン、抗炎症剤、ＮＳＡＩＤＳ、例えばイブプロフェン、ケトプロフェンまたはジクロフェナク、コルチコステロイド、苦痛緩和剤、例えばリドカインもしくはチンチョカイン（chinchocaine）、エモリエント（皮膚軟化薬）、レチノイドまたは本発明の態様とも考えられる冷却効果を有する薬剤のような他の薬剤を組み込むことによって行われる。
【実施例】
【０１１４】
実施例１：
チバ・スペシャルティ・ケミカルズ（Ciba Specialty Chemicals）より、その意図される用途が「壁紙用プレペースト接着剤」としてであった、約０．５〜１μｍの粒径をもった架橋ポリアクリル酸系コポリマー粒子の５０％ｗ／ｗ分散体である「コラフィックス（Collafix）PP80」の形態のマイクロコロイドを入手した。
【０１１５】
ａｃレジン（acResin）A 258，ＵＶ硬化性アクリル系接着剤（BASF），
コラフィックス（Collafix）PP80，５０％ｗ／ｗマイクロコロイド，キャリアオイル：脂肪族炭化水素，チバ・スペシャルティ・ケミカルズ，
ＰＵ支持フィルム，透湿性（ＭＴＲおよそ１２−１３．０００ｇ／ｍ2／２４時間）
【０１１６】
ａｃレジンA 258 １部を、標準的実験室用ミキサーで、コラフィックス（Collafix）PP80  ２部と混合した。その混合物を減圧オーブン内で一晩置くことによりキャリアオイルを除去し、およそ１：１のａｃレジン：マイクロコロイド混合物である混合物Ａをつくった。
【０１１７】
Ａ１部をエタノール４部と混合して溶液Ｂをつくり、またａｃレジン  １部をエタノールに溶解させて溶液Ｃをつくった。
【０１１８】
溶液Ｂおよび溶液Ｃを混合して様々なマイクロコロイド調剤をつくり、標準的なバーコーティング法によりＰＵ支持フィルム上にコートして、約１００μｍ（湿潤）の溶媒コートをつくり、その結果約２０μｍの乾燥接着剤コートを得た。エタノールを蒸発させた後に、その接着剤をＵＶ照射により硬化させた。水分透過および剥離について試験した。その結果を表１に示す。
【０１１９】
【表１】
2004527600.tif 000003
【０１２０】
大きな水分透過の改善は接着剤マトリックスに対するマイクロコロイドの加入によって得られ、接着剤の非常に薄い透過性コーティングを調製することが可能である。
【０１２１】
接着剤は、標準的技術、例えば接着特性を調整するための樹脂または柔軟剤の添加により改質し得る。
【０１２２】
実施例２：
チバ・スペシャルティ・ケミカルズより、その意図される用途がパーソナルケア製品用レオロジー改質剤としてであった、約０．５〜１μｍの架橋ポリアクリル酸系コポリマー粒子の６０％ｗ／ｗ分散体として、活性化界面活性剤のないサルケア(Salcare）SC91の形態のマイクロコロイドを入手した。
【０１２３】
サルケア(Salcare）SC91，活性化界面活性剤なし，６０％固形，マイクロコロイド，チバ・スペシャルティ・ケミカルズ，
クラトン(Kraton）1107CU，スチレン・イソプレン・スチレンポリマー，シェル(Shell），
アルコン(Arkon）P115，粘着付与樹脂，荒川化学工業株式会社，
パラフルイド(Parafluid） PL500，白色鉱油，パラフルイド・ミネラロエルゲゼルシャフト・エムベーハー（PARAFLUID Mineraloelgesellschaft mbH），
アクアソーブ（Aquasorb）A500，ハイドロコロイド，架橋ＣＭＣ，アクアロン(Aqualon），
ＰＵ支持フィルム，透湿性（ＭＴＲおよそ１２−１３．０００ｇ／ｍ2／２４時間）
【０１２４】
膨潤を最大にするために、水溶液ｐＨが９よりも大きくなるまで分散体に対して５Ｍ  ＮａＯＨを添加することによって、マイクロコロイドを中和処理し、減圧蒸留により水を除去した。
【０１２５】
中和マイクロコロイド２部をペトロリウム・スピリット（沸点６０〜８０℃）１部で希釈して溶液Ｄをつくった。
【０１２６】
クラトン（Kraton）1107  １部をペトロリウム・スピリット（沸点６０〜８０℃）９部に溶解させて溶液Ｅをつくった。
【０１２７】
アルコン(Arkon）P115  １部をペトロリウム・スピリット（沸点６０〜８０℃）１部に溶解させて溶液Ｆをつくった。
【０１２８】
溶液Ｄ、溶液Ｅ、溶液Ｆ、パラフルイド PL500およびアクアソーブA500を下の表２に従って混合し、シリコーン処理紙枠の上にコートし、そしてペトロリウム・スピリットを蒸発させた。
【０１２９】
【表２】
2004527600.tif 000004
【０１３０】
３種類の接着剤Ａ１、Ａ２およびＡ３は同一のポリマーマトリックスを有し、分散相においてのみ異なっており、Ａ１はマイクロコロイド接着剤であり、Ａ２は従来のハイドロコロイド接着剤であり、そしてＡ３は分散相のない対照である。
【０１３１】
乾燥した接着剤を紙枠から取り外し、透湿性ＰＵ支持材上で２００μｍまでウォーム（warm）プレスし、ラミネート処理した。
【０１３２】
以下のパラメータについて測定した：吸収速度、吸収能力、透湿度、剥離、接着剤粘着性（１ｍｍ接着剤、支持材なし）およびレオロジー特性（１ｍｍ接着剤、支持材なし）。その方法および結果を下に示す。
【０１３３】
吸収速度：
吸収速度は、小さなガラススライド上に接着剤の２1/2×２1/2ｃｍサンプルを載せ、その接着剤を０．９％ＮａＣｌ溶液中に浸し、重量増加を時間の関数として測定することによって測定した。その結果を表３に示す。
【０１３４】
【表３】
2004527600.tif 000005
【０１３５】
表３に示されるように、マイクロコロイド接着剤は優れた初期吸収を与え、これは例えば湿った又は濡れた表面に対して良好で速い接着を得るために所望される。
【０１３６】
吸収能力：
吸収能力は、吸収速度と同様に測定されるが長時間後にのみ測定される。実際の重量増加とは別に、残留物を残すことなく接着剤を除去できるようにするためには、膨潤した接着剤の凝集力が重要である。その結果を表４に示す。
【０１３７】
【表４】
2004527600.tif 000006
【０１３８】
表から見られるように、この種類のマイクロコロイドは、最も重要なことだが良好な凝集力と組み合わさって、高い膨潤能力を与える。
【０１３９】
水分透過：
水分透過は逆パッチントンカップ(inverted Pattington cup）法により測定した。
【０１４０】
透湿度は０．９％ＮａＣｌ、３７℃、１５％ＲＨにおいてｇ／ｍ2／２４時間として測定される。その結果を図１に示す。
【０１４１】
図１に開示されるように、マイクロコロイド接着剤は、ハイドロコロイド対照についての約５０００ｇ／ｍ2／２４時間と比較して、高い水分透過１２−１３０００ｇ／ｍ2／２４時間（支持材と同じ）を与えるだけでなく、最大透過に到達する前の不足時間(lack time）も遥かに短い。
【０１４２】
剥離：
剥離接着力は、２３℃、５０％ＲＨ、３０４ｍｍ／分、２５ｍｍ、インストロン(Instron）モデル５５６４引張試験機（ＰＳＴＣ−２）において、鋼板から９０°剥離として測定される。その結果を表５に示す。
【０１４３】
【表５】
2004527600.tif 000007
【０１４４】
表から見られるように、マイクロコロイド接着剤の剥離接着力はハイドロコロイド対照の剥離接着力よりも遥かに高い。
【０１４５】
接着剤粘着力：
接着剤粘着力は、２３℃、５０％ＲＨにおいて５ｍｍテフロン・プローブを用いたプローブ粘着力として測定される（インストロンモデル５５６４引張試験機）。その結果を下の表６に示す。
【０１４６】
【表６】
2004527600.tif 000008
【０１４７】
表に開示されるように、マイクロコロイド接着剤をハイドロコロイド対照と比較すると接着剤粘着力は大きく向上している。
【０１４８】
実施例３：
マイクロコロイドを用いた発泡接着剤の調製
チバ・スペシャルティ・ケミカルズより、０．５〜１μｍの架橋ポリアクリル酸系コポリマー粒子の５５％ｗ／ｗ分散体として、マイクロコロイドDP 199-9086 を入手した。
【０１４９】
DP 199-9086 ，５５％固形，チバ・スペシャルティ・ケミカルズ，
クインタック(Quintac）3433N ，スチレン・イソプレン・スチレンポリマー，日本ゼオン株式会社，
アルコン(Arkon）P115，粘着付与(tackifying）樹脂，荒川化学工業株式会社，
ＰＵ支持フィルム，透湿性（ＭＴＲおよそ１２−１３．０００ｇ／ｍ2／２４時間）
【０１５０】
接着剤をヘルマン・リンデン・ｚ−ブレード・ミキサー(Herman Linden z-blade mixer）内で１６０℃の循環オイル温度でホットメルト処理した。
【０１５１】
表７の成分を混合した。
【表７】
2004527600.tif 000009
【０１５２】
接着剤の処理後に、そのバルク接着剤を、成形接着剤の分散体にガス（この場合は不活性な窒素）を送り込むように設計されたノードソン(Nordson）からのフォームメルト（FoamMelt）130 に入れた。
【０１５３】
接着剤が融解するチャンバー内温度は１７０℃であった。接着剤を融解した後に、密度コントローラを調節した。循環の２０分後に、密度が一定となり、その発泡接着剤をシリコーン処理紙の上にディスペンスした。塗布の直後に、ガスが膨張して独立気泡フォームが生成した。優れた接着特性をもった柔らかで安定なフォーム（発泡体）が得られた。
【０１５４】
発泡接着剤をＰＵ支持材上にラミネート処理した。フォーム層の厚さは０．３ｍｍ、０．６ｍｍ、１．０ｍｍおよび２．０ｍｍであった。
【０１５５】
未発泡接着剤と比較して、発泡接着剤は以下の利点を与える：
・柔軟な基体に対する増大した接着力；
・増大した柔軟性；
・皮膚から取り外す時の痛みの少なさ；
・改善したソフト感；
・減少した接着剤消費量。
【０１５６】
調製直後および４０℃において２週間後の２．０ｍｍ発泡接着剤の気孔率を決定した。その結果を表８に示す。
【０１５７】
【表８】
2004527600.tif 000010
【０１５８】
表８の結果は発泡接着剤の非常に良好な安定性を示す。
【図面の簡単な説明】
【０１５９】
【図１】図１は接着剤組成物の時間経過に伴う水分透過を示す。
【図１】
2004527600.tif 000011
【国際公開パンフレット】
2004527600.tif 000012
2004527600.tif 000013
2004527600.tif 000014
2004527600.tif 000015
2004527600.tif 000016
2004527600.tif 000017
2004527600.tif 000018
2004527600.tif 000019
2004527600.tif 000020
2004527600.tif 000021
2004527600.tif 000022
2004527600.tif 000023
2004527600.tif 000024
2004527600.tif 000025
2004527600.tif 000026
2004527600.tif 000027
2004527600.tif 000028
2004527600.tif 000029
2004527600.tif 000030
2004527600.tif 000031
2004527600.tif 000032
2004527600.tif 000033
2004527600.tif 000034
2004527600.tif 000035
2004527600.tif 000036
2004527600.tif 000037
2004527600.tif 000038
2004527600.tif 000039
2004527600.tif 000040
2004527600.tif 000041
2004527600.tif 000042
【国際調査報告】
2004527600.tif 000043
2004527600.tif 000044
2004527600.tif 000045
2004527600.tif 000046